(57)【要約】【課題】画像形成装置の初回起動時の消費電力を低減する。【解決手段】複数の機能と複数のハードウェアを有する画像形成装置１は、主電源に相当するＡＣ電源１１１やＤＣ電源生成部１１３と、前記主電源と前記複数のハードウェアの各々との間に配置され、各ハードウェアへの電力供給をオン／オフ制御するリレー１１５〜１１８と、初回起動時に立ち上げたい機能を決定する決定手段１２０と、決定された機能を提供するためのハードウェアにのみ、リレー１１５〜１１８を用いて電力供給をオンする制御を行うコントローラボード１００と、決定された機能を記憶する不揮発性メモリ１１９と、を備える。【選択図】図２
2013021663.tif 000002
【特許請求の範囲】
【請求項１】
複数の機能と複数のハードウェアを有する画像形成装置であって、
主電源と、
前記主電源と前記複数のハードウェアの各々との間に配置され、各ハードウェアへの電力供給をオン／オフ制御する複数の電源供給制御手段と、
初回起動時に立ち上げたい機能を決定する決定手段と、
前記決定手段により決定された機能を提供するためのハードウェアにのみ、前記複数の電源供給制御手段を用いて電力供給をオンする制御を行う電源制御手段と、
前記決定手段により決定された機能を記憶する機能記憶手段と、を備え、
前記電源制御手段は、
前記主電源がオフされたあと次にオンされたとき、
前記機能記憶手段に記憶されている前記決定手段により決定された機能を提供するためのハードウェアにのみ、前記複数の電源供給制御手段を用いて電力供給をオンする制御を行うことを特徴とする、画像形成装置。
【請求項２】
初回起動後に追加で立ち上げたい機能を決定する追加機能決定手段を備え、
前記電源制御手段は、
前記追加機能決定手段により決定された機能を提供するためのハードウェアへの電力供給をオンする制御を、前記複数の電源供給制御手段を用いて行う
ことを特徴とする、請求項１記載の画像形成装置。
【請求項３】
前記複数の機能は、コピー機能、プリンタ機能、スキャナ機能、ファクシミリ機能を含むことを特徴とする、請求項１又は２記載の画像形成装置。
【請求項４】
複数の機能と、
複数のハードウェアと、
主電源と、
前記主電源と前記複数のハードウェアの各々との間に配置され、各ハードウェアへの電力供給をオン／オフ制御する複数の電源供給制御手段と、
を備える画像形成装置の起動方法であって、
初回起動時に立ち上げたい機能を決定する決定ステップと、
前記決定ステップにより決定された機能を提供するためのハードウェアにのみ、前記複数の電源供給制御手段を用いて電力供給をオンする制御を行う電源制御ステップと、
前記決定ステップにより決定された機能を記憶する機能記憶ステップと、を含み、
前記電源制御ステップでは、
前記機能記憶ステップで記憶された前記決定ステップにより決定された機能を提供するためのハードウェアにのみ、前記複数の電源供給制御手段を用いて電力供給をオンする制御を行うことを特徴とする、画像形成装置の起動方法。
【発明の詳細な説明】
【技術分野】
【０００１】
本発明は、画像形成装置及びその起動方法に関し、特に、装置起動時の消費電力を低減する技術に関する。
【背景技術】
【０００２】
近年の環境意識への高まりから、複写機やプリンタなどのＯＡ（Ｏｆｆｉｃｅ  Ａｕｔｏｍａｔｉｏｎ）機器での省エネルギーが求められている。こうした中で、複数の機能を有する画像形成装置において、省エネルギー状態からの復帰のときに必要な機能のみを起動させることにより、消費電力をおさえる技術が既に知られている。
【０００３】
特許文献１には、省エネルギー状態からの復帰のときに、必要な機能のみを起動させることにより、消費電力をおさえる技術が開示されている。それは、機能毎に設けたコピーボタン、ドキュメントボックスボタン、ファックスボタン、プリンタボタン、スキャナボタンを選択して押下しないと省エネルギー状態から復帰しないようにし、更に、その機能で必要な部分だけの電源復帰を行うものである。
【０００４】
従来であれば、ユーザが電源ボタンを押下するか、ＡＤＦ（Ａｕｔｏ  Ｄｏｃｕｍｅｎｔ  Ｆｅｅｄｅｒ）に原稿をセットするか、圧板を動作させると全機能に対する電源が全て起動してしまっていた。
【発明の概要】
【発明が解決しようとする課題】
【０００５】
しかしながら、特許文献１の技術においても、初回起動時には全ての機能の電源が入り、すぐに使用しない機能の電源も入ってしまうので、こうした無駄な電力を消費するという問題は解決されていなかった。
【０００６】
本発明は、上記実情に鑑みてなされたものであって、画像形成装置の初回起動時の消費電力を低減することが可能な画像形成装置及びその起動方法を提供することを目的とする。
【課題を解決するための手段】
【０００７】
上記目的を達成するため、本発明は、第１の態様として、複数の機能と複数のハードウェアを有する画像形成装置であって、主電源と、前記主電源と前記複数のハードウェアの各々との間に配置され、各ハードウェアへの電力供給をオン／オフ制御する複数の電源供給制御手段と、初回起動時に立ち上げたい機能を決定する決定手段と、前記決定手段により決定された機能を提供するためのハードウェアにのみ、前記複数の電源供給制御手段を用いて電力供給をオンする制御を行う電源制御手段と、前記決定手段により決定された機能を記憶する機能記憶手段と、を備え、前記電源制御手段は、前記主電源がオフされたあと次にオンされたとき、前記機能記憶手段に記憶されている前記決定手段により決定された機能を提供するためのハードウェアにのみ、前記複数の電源供給制御手段を用いて電力供給をオンする制御を行うことを特徴とする、画像形成装置を提供する。
【０００８】
また、第２の態様として、複数の機能と、複数のハードウェアと、主電源と、前記主電源と前記複数のハードウェアの各々との間に配置され、各ハードウェアへの電力供給をオン／オフ制御する複数の電源供給制御手段と、を備える画像形成装置の起動方法であって、初回起動時に立ち上げたい機能を決定する決定ステップと、前記決定ステップにより決定された機能を提供するためのハードウェアにのみ、前記複数の電源供給制御手段を用いて電力供給をオンする制御を行う電源制御ステップと、前記決定ステップにより決定された機能を記憶する機能記憶ステップと、を含み、前記電源制御ステップでは、前記機能記憶ステップで記憶された前記決定ステップにより決定された機能を提供するためのハードウェアにのみ、前記複数の電源供給制御手段を用いて電力供給をオンする制御を行うことを特徴とする、画像形成装置の起動方法を提供する。
【発明の効果】
【０００９】
本発明によれば、画像形成装置の初回起動時の消費電力を低減することが可能な画像形成装置及びその起動方法を提供することができる。
【図面の簡単な説明】
【００１０】
【図１】本発明の実施形態に係る画像形成装置のハードウェア構成を示すブロック図（その１）である。
【図２】本発明の実施形態に係る画像形成装置のハードウェア構成を示すブロック図（その２）である。
【図３】本発明の実施形態に係る画像形成装置の機能ブロック図である。
【図４】図１の操作部１０６が提供する操作パネルの構成例を示す図である。
【図５】本発明の実施形態における「装置電源オン」「初回起動」などの概念を説明するための概念図である。
【図６】図１の不揮発性メモリ１１９に記憶されるデータの一例を示す図である。
【図７】図１の画像形成装置１の「初回起動」処理の手順を示すフローチャートである。
【図８】図７のステップＳ１０６の詳細な処理手順を示すフローチャートである。
【図９】図１の画像形成装置１の初回起動後の追加機能選択処理の手順を示すフローチャートである。
【発明を実施するための形態】
【００１１】
本発明の実施形態について説明を行う。下記実施形態は、複数の機能を有する画像形成装置の省エネルギー制御方法に際して、以下の特徴を有する。
【００１２】
即ち、複数の機能を有する画像形成装置において、初回起動時に全ての電源を立ち上げるのではなく、必要な部分のみに電源を入れることができる点が特徴になっている。ここで「複数の機能」とは例を挙げると「コピー機能」「プリンタ機能」「スキャナ機能」「ファクシミリ機能」などがあり、多機能を複合して備える画像形成装置が提供する各種機能を指すものとする。また、「初回起動時」とは画像形成装置の主電源をオンしたときを指す（図５を参照して後述する）。
上記本実施形態の特徴について、以下に図面を用いて詳細に解説する。
【００１３】
図１は、本発明の実施形態に係る画像形成装置のハードウェア構成を示すブロック図（その１）である。図１に示す画像形成装置１は、コントローラボード１００と、電源ユニット１１０と、ＨＤＤ（Ｈａｒｄ  Ｄｉｓｋ  Ｄｒｉｖｅ）１０５と、操作部１０６と、画像読取部であるスキャナ１０７と、画像形成部であるプロッタ１０８と、ネットワークデバイス１０９とを備えている。
【００１４】
コントローラボード１００は、ＣＰＵ（Ｃｅｎｔｒａｌ  Ｐｒｏｃｅｓｓｉｎｇ  Ｕｎｉｔ）１０１、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１０２、ＲＡＭ（Ｒａｎｄｏｍ  Ａｃｃｅｓｓ  Ｍｅｍｏｒｙ）１０３、ＲＯＭ（Ｒｅａｄ  Ｏｎｌｙ  Ｍｅｍｏｒｙ）１０４などで構成されている。本実施形態においては、コントローラボード１００はさらに、不揮発性メモリ１１９を備える（図６を参照して後述）。不揮発性メモリ１１９は、電源を切っても記憶した内容が揮発しない記憶装置であって、記憶内容の書き換えも可能なものである。
【００１５】
スキャナ１０７は読み取りの画像処理部、プロッタ１０８は書き込み画像処理の機能を有している。ネットワークデバイス１０９は、ネットワークを介してＰＣ（Ｐｅｒｓｏｎａｌ  Ｃｏｍｐｕｔｅｒ）などと接続することができる。電源ユニット１１０は、図２に示すような構成を備えている。
【００１６】
図２は、本発明の実施形態に係る画像形成装置のハードウェア構成を示すブロック図（その２）である。この図２は、図１の電源ユニット１１０を詳細に説明しており、これを用いて、具体的な省エネルギー制御方法について説明を行う。
【００１７】
図２に示す電源ユニット１１０は、コントローラボード１００から制御されるリレードライブ１１４と、スキャナ１０７に繋がったリレー１１７と、プロッタ１０８に繋がったリレー１１８と、操作部１０６に繋がったリレー１１６と、ＨＤＤ１０５に繋がったリレー１１５と、ＡＣ電源１１１に繋がったロッカースイッチ１１２と、画像形成装置１を構成する各ハードウェアに電源を供給するＤＣ電源生成部１１３とを備えている。
【００１８】
ロッカースイッチ１１２が入ると、コントローラボード１００に電源が供給され、コントローラボード１００が立ち上がる。その後、ユーザの選択、または、設定されたモードに従い、コントローラボード１００からリレードライブ１１４が制御され、必要な部分のみのリレーが入り電源が供給される。これにより、不必要な電源は入らないので、電力が削減され省エネルギーに貢献できる。
【００１９】
このコントローラボード１００は、画像形成装置１の初回起動時に立ち上げたい機能を選択する（より詳細には図３に示す決定手段１２０が初回起動時に立ち上げたい機能を決定する。）。また、電源ユニット１１０は、コントローラボード１００の選択に基づき、選択された機能だけに電源を入力する。
【００２０】
なお、上記の設定されたモードは、ユーザの選択がない場合に初回起動時に立ち上げたい機能に決定される。設定されたモードは、コントローラボード１００を構成する不揮発性メモリ１１９によって記憶されている。このように、初回起動時に立ち上げたい機能を記憶する不揮発性メモリ１１９は、機能記憶手段の一例である。また、初回起動時に立ち上げたい機能を機能記憶手段に記憶させる手段としては、様々な方式があるが、その一例としては、操作パネル（図４参照）によるものがある。その詳細については、後述する。
【００２１】
図３は、画像形成装置１の機能構成を示す機能ブロック図である。図３に示すように、コントローラボード１００は、前回の初回起動時に立ち上げた機能を記憶する不揮発性メモリ１１９を有している。また、コントローラボード１００は、初回起動時に立ち上げたい機能を決定する決定手段１２０を有する。図３に示すように、「主電源」の一例として、ＡＣ電源１１１とロッカースイッチ１１２とＤＣ電源生成部で構成される電源ユニット１１０の一部が相当する。また、「電源供給制御手段」の一例として、各リレー１１５〜１１８が相当する。また、「決定手段」の一例として、決定手段１２０が相当する。また、「電源制御手段」の一例として、コントローラボード１００が相当する。また、「機能記憶手段」の一例として、不揮発性メモリ１１９が相当する。
【００２２】
なお、前回の初回起動時とは、ある時点での初回起動より以前の初回起動時を意味する（図５参照）。更に、コントローラボード１００は、次回の初回起動時に、前回の初回起動時に立ち上げた機能を立ち上げることができる再機能立ち上げ手段としても機能する。なお、次回の初回起動時とは、ある時点での初回起動の次の初回起動時を意味する（図５参照）。
【００２３】
上記の前回の決定された機能を記憶する機能記憶手段（不揮発性メモリ１１９）、及び、再機能立ち上げ手段を用いると、前回の初回起動時に立ち上げた機能を、再度設定し直すことなく、次回の初回起動時に立ち上げることができるという効果を奏する。これらを実行するためには、様々な方式があるが、その一例としては、操作パネル（図４）によるものがある。その詳細については、後述する。
【００２４】
図４は、操作部１０６が提供する操作パネルの構成例を示す図である。図４に示すように、操作部１０６の操作パネルは、ＬＣＤ（Ｌｉｑｕｉｄ  Ｃｒｙｓｔａｌ  Ｄｉｓｐｌａｙ）表示部３０１と、テンキー部３０６と、クリア／ストップボタン３０７と、試しコピーボタン３０９と、スタートボタン３０８と、電源ボタン３１０とを備えている。
【００２５】
電源ボタン３１０は、ＡＣ電源を切るものではなく、画像形成装置の電源を切るためのものであり、ＡＣ電源１１１を切るロッカースイッチ１１２は別の所に備えてある。また、操作パネルは、図２に示したコントローラボード１００と接続しており、操作パネル上の各種ボタンを操作することで、電源ユニット１１０を制御することができる。
【００２６】
図５に、本実施形態における「装置電源オン」「初回起動」などの概念を説明するための概念図を示す。
【００２７】
本実施形態において「装置電源オン」とは、画像形成装置１の主電源をオンにすることであって、具体的にはＡＣ電源１１１をオン／オフするロッカースイッチ１１２をオンにすることによって行われる。装置電源をオンにすることを、「初回起動」と呼ぶ。
【００２８】
装置電源がいったんオンになった状態で、各種機能の利用がなく所定の時間が経過すると「省エネモード」と呼ばれる低消費電力状態で装置を稼働させるモードに移行する場合がある。また、省エネモードへの移行を所定の時間の経過を待たずに、ユーザが手動でする場合は、電源ボタン３１０を押下することによって行う。
【００２９】
省エネモードからの復帰を、本実施形態では、「ｎ回目の起動（ｎは２以上の自然数）」と呼ぶ。「ｎ回目の起動」は電源ボタン３１０を押下することで行われる。「ｎ回目の起動」は「装置電源オン」期間中は何回でもできる。
【００３０】
例えば、オフィスにおける利用で朝に装置電源オンし、夕方に装置電源オフすれば、それで１回の装置利用サイクルが完結する。装置電源オフされたあと次にオンされたときは、何回目であっても「初回起動」と呼ぶ。
【００３１】
再び図４を参照する。図４に示すように、操作パネルには、コピーボタン３０２、ドキュメントボックスボタン３０３、プリンタボタン３０４、スキャナボタン３０５が備え付けてある。ロッカースイッチ１１２がＯＮされると、コントローラボード１００が立ち上がり、操作パネル上のコピーボタン３０２、ドキュメントボックスボタン３０３、プリンタボタン３０４、スキャナボタン３０５をユーザが押下することによって、その機能だけ電源を入れることができる。
【００３２】
また、操作パネルに備え付けられた各種ボタン（入力手段）を操作することで、画像形成装置１の次回の初回起動時に立ち上げたい機能を不揮発性メモリ１１９（機能記憶手段）に記憶させることができる。また、これらのボタンを操作することで、前回の初回起動時に立ち上げた機能を不揮発性メモリ１１９（前回機能記憶手段）に記憶させることができる。そして、これらのボタンを操作することで、次回の初回起動時に、上記の機能を立ち上げること（再機能立ち上げ手段の実行）ができる。
【００３３】
図６に、不揮発性メモリ１１９に記憶されるデータの一例を示し、以下、不揮発性メモリ１１９について説明する。なお、図６に示したハードウェアの種類や、機能の種類は一例であり、本願の技術的思想を限定するものではない。
【００３４】
図６に示すように、多機能複合機である画像形成装置１が提供する機能ごとに、それぞれの機能を提供するために動作が必要なハードウェアデバイスが関連づけられている。動作が必要なハードウェアデバイスとは、つまり、電源を供給すべきハードウェアである。
【００３５】
図６に示す不揮発性メモリ１１９の記憶内容について１例を挙げて説明すると、図６の「プリンタ機能」は操作部１０６とプロッタ１０８への電源供給は必要だが、ＨＤＤ１０５とスキャナ１０６への電源供給は不要であるということを示している。また、「プリンタ機能」には、次回の初回起動時に立ち上げる機能のデフォルトである旨を示すフラグが立っている。
【００３６】
これまでの説明で「ある機能に電源を入れる」と言った場合、当該機能を提供するために電源を供給すべきハードウェアすべてに電源を供給することを指す。「ある機能だけ電源を入れる」と言った場合、当該機能を提供するために電源を供給すべきハードウェアすべてに電源を供給する一方、電源供給が不要なハードウェアへの電源供給をしないことを指す。
【００３７】
図６に示すように、不揮発性メモリ１１９は、初回起動時に立ち上げたい機能にフラグを立てて記憶している。コントローラボード１００と決定手段１２０は、このフラグを初回起動時に参照してどの機能を立ち上げるかを決定すると同時に、決定した機能を提供するために電源を供給すべきハードウェアを把握する。そして、コントローラボード１００は、把握したハードウェアへの電源供給をリレードライブ１１４の制御を介したリレー１１５〜１１８の制御により選択的に行う。
【００３８】
もっとも、上述したように、ユーザにより初回起動時に立ち上げたい機能が選択された場合（ユーザが「コピーボタン３０２、ドキュメントボックスボタン３０３、プリンタボタン３０４、スキャナボタン３０５」を押下した場合）は、コントローラボード１００は、フラグの参照をせずに初回起動処理を実行する。
【００３９】
フラグの参照をした場合又はしなかった場合のいずれの場合であっても、今回の初回起動時に参照又は選択された機能にフラグをセットして、不揮発性メモリ１１９が記憶する。
【００４０】
以上に説明した構成を備える画像形成装置１の動作について、以下、フローチャートを参照しながら説明する。図７と図８を参照して初回起動処理について、図９を参照して初回起動後に利用する機能を追加する処理について説明する。
【００４１】
図７に、画像形成装置１の「初回起動」処理の手順を示す。ユーザがロッカースイッチ１１２を入れるなどして画像形成装置１のＡＣ電源１１１が入ると（ステップＳ１０１）、コントローラボード１００に押下信号が入力されることによってコントローラボード１００が立ち上がる（ステップＳ１０２）。立ち上がったコントローラボード１００と決定手段１２０により、「初回起動時に立ち上げたい機能」の決定処理が実行される（ステップＳ１０３〜Ｓ１０５）。
【００４２】
初回起動時に立ち上げたい機能の決定処理は、まず、決定手段１２０が操作部１０６に配置された機能選択ボタン（コピーボタン３０２、ドキュメントボックスボタン３０３、プリンタボタン３０４、スキャナボタン３０５を指す）の押下があるか否かを検知する（ステップＳ１０３）。ある場合は、選択された機能の押下信号に基づいて、コントローラボード１００が立ち上げる機能を決定する（ステップＳ１０５）。
【００４３】
他方、ない場合は、決定手段１２０は、不揮発性メモリ１１９に記憶されている、前回の初回起動時に立ち上げが決定された機能を参照する（ステップＳ１０４）。図６に示したように、本実施形態においては前回の初回起動時に立ち上げが決定された機能はフラグがセットされている。フラグを参照した結果に基づいて、決定手段１２０が立ち上げる機能を決定する（ステップＳ１０５）。
【００４４】
次に、コントローラボード１００は、決定した機能を提供するためのハードウェアにのみ電源供給する制御を実行する（ステップＳ１０６）。この処理の詳細については、図８を参照して説明する。
【００４５】
電源供給制御の次に、コントローラボード１００は、ステップＳ１０５で決定した今回の初回起動時に立ち上げたい機能を、不揮発性メモリ１１９に記憶させる（ステップＳ１０７）。具体的には、いずれかの機能にフラグをセットする。
【００４６】
図８に、ステップＳ１０６の処理の詳細な処理手順を示す。
あらかじめ、コントローラボード１００は、不揮発性メモリ１１９を参照しておき（ステップＳ２０１）、前段のステップＳ１０５で決定した機能がコピー機能であるか（ステップＳ２０２のＹｅｓ）、プリンタ機能であるか（ステップＳ２０４のＹｅｓ）、スキャナ機能であるか（ステップＳ２０６のＹｅｓ）、を判定する。
【００４７】
コピー機能の場合、あらかじめ参照しておいた情報にしたがって、スキャナ電源入り（オン）且つプロッタ電源入り（オン）にする制御を行う（ステップＳ２０３）。あらかじめ参照しておいた情報とは、図６に示したような、コピー機能の場合はいずれのハードウェアの電源供給をオン又はオフにするかという情報である。同様にして、プリンタ機能の場合も、スキャナ機能の場合も、ハードウェアの電源供給のオン／オフ制御をする（ステップＳ２０５又はＳ２０７）。
【００４８】
何も使用しない場合は、スキャナ電源切り（ＯＦＦ）、プロッター電源切り（ＯＦＦ）となる（ステップＳ２０８）。初回起動時にこのようなフローで立ち上げることで、必要のない機能の電源を立ち上げることなく無駄な消費電力を削減できる。すなわち、初回起動時の消費電力を低減することが可能になる。
【００４９】
なお、ステップＳ２０３、２０５、２０７、２０８の電源供給のオン／オフ制御は、図２を参照して説明したように、コントローラボード１００がリレードライブ１１４の制御を介して、各ハードウェアへの電源供給をオン／オフ制御するリレー１１５〜１１８を制御することによって実行する。
【００５０】
上述したように、本実施形態は、画像形成装置１の初回起動時に立ち上げたい機能を決定し、決定した機能を提供するためのハードウェアにのみ電源供給する。したがって、必要のないハードウェアへの電源供給をせずに済むため、初回起動時の消費電力の低減が可能となる。
【００５１】
機能の決定に際しては、ユーザが選択可能な機能選択ボタン（コピーボタン３０２、ドキュメントボックスボタン３０３、プリンタボタン３０４、スキャナボタン３０５を指す）を入力手段として配置する。その他に、前回の初回起動時の決定を記憶する機能記憶手段として不揮発性メモリ１１９を備え、次回の初回起動時に記憶している決定を参照する構成である。そのため、初回起動時の消費電力の低減が具体的に実現する。
【００５２】
本実施形態においては、画像形成装置１が提供する複数の機能として、コピー機能、プリンタ機能、スキャナ機能、ファクシミリ機能を例示したが、これは好ましい態様の一例である。
【００５３】
上述した実施形態においては、初回起動時にすべての機能の提供に必要なハードウェアへの電源供給をするのではなく、初回起動時に使いたい機能を決定し、使いたい機能を提供するために必要なハードウェアのみに電源供給することで、初回起動時の消費電力の低減を実現する。そうすると、初回起動後にユーザが別の機能の利用を所望した際に、当該別の機能を提供するために必要なハードウェアの一部又は全部の電源供給がなされていない可能性が生じる。この課題を解決するために、本実施形態は下記の構成及び動作を行う。
【００５４】
まず、コントローラボード１００が、ユーザが追加で立ち上げたい機能を決定する追加機能決定手段として機能する。決定のプロセスの典型は、ユーザが操作部１０６の操作パネル上にある機能選択ボタン（コピーボタン３０２、ドキュメントボックスボタン３０３、プリンタボタン３０４、スキャナボタン３０５を指す）を押下し、コントローラボード１００に入力される押下信号に対応した機能を追加で立ち上げたい機能として決定するものである。他の態様としては、例えば、時間の経過にしたがって自動的に追加機能を決定するものがある。オフィスで昼過ぎにコピー利用が始まることがあらかじめ分かっていれば正午に「コピー機能」を追加機能として決定するプログラムを組むとよい。なお、以下では、ユーザによる機能選択ボタン押下により決定する構成に基づいて説明する。
【００５５】
図９に、初回起動後の追加機能選択処理の流れを示す。
なお、コントローラボード１００は、この追加機能選択処理を開始する時点で画像形成装置１の各ハードウェアブロックのいずれに電源供給がなされていて、いずれに電源供給がなされていないという情報を持っている。
【００５６】
コントローラボード１００は、機能選択ボタン押下を検知したら（ステップＳ３０１のＹｅｓ）、不揮発性メモリ１１９を参照し、押下信号に対応する機能を提供するために必要なハードウェアの情報を把握する（ステップＳ３０２）。次に、把握したハードウェアの情報と、現在電源供給がなされているハードウェアの情報とから、未だ電源オンになっていない追加の機能を提供するために必要なハードウェアを抽出する（ステップＳ３０３）。そして、抽出したハードウェアに電源供給をするように、リレードライブ１１４の制御を介して各リレーを制御する（ステップＳ３０４）。
【００５７】
例えば、初回起動時プリンタ機能が立ち上がっていて初めての追加機能選択処理を行うとき、追加機能としてスキャナ機能を選択した場合、ステップＳ３０３では、ＨＤＤ１０５とスキャナ１０７が抽出される。ステップＳ３０４ではＨＤＤ１０５とスキャナ１０７に電源供給がなされるよう制御が行われる。なお、プロッタ１０８の電源供給をオフする制御は行わない。なお、追加機能の決定のプロセスは、ステップＳ３０１までである。
【００５８】
上述した構成及び動作によれば、初回起動時に電源オンとならなかったハードウェアデバイスを利用する機能についてもスムーズに利用可能になるという効果が奏せられる。
【００５９】
なお、本実施形態においては、「主電源」の一例として、ＡＣ電源１１１とロッカースイッチ１１２とＤＣ電源生成部で構成される電源ユニット１１０の一部が相当する。また、「電源供給制御手段」の一例として、各リレー１１５〜１１８が相当する。また、「決定手段」の一例として、決定手段１２０が相当する。また、「電源制御手段」の一例として、コントローラボード１００が相当する。また、「機能記憶手段」の一例として、不揮発性メモリ１１９が相当する。しかしながら、これらは説明のための一例である。
【００６０】
以上、実施形態を説明したが、特許請求の範囲に定義された本発明は、趣旨、及び、その範囲から逸脱することなく、これらの実施形態や具体例に様々な修正、及び、変更が可能である。
【符号の説明】
【００６１】
１    画像形成装置
１００    コントローラボード
１０１    ＣＰＵ
１０２    ＡＳＩＣ
１０３    ＲＡＭ
１０４    ＲＯＭ
１０５    ＨＤＤ
１０６    操作部
１０７    スキャナ
１０８    プロッタ
１０９    ネットワークデバイス
１１０    電源ユニット
１１１    ＡＣ電源
１１２    ロッカースイッチ
１１３    ＤＣ電源生成部
１１４    リレードライブ
１１５〜１１８    リレー
１１９    不揮発性メモリ
１２０    決定手段
３０１    ＬＣＤ表示部
３０２    コピーボタン
３０３    ドキュメントボックスボタン
３０４    プリンタボタン
３０５    スキャナボタン
３０６    テンキー部
３０７    クリア／ストップボタン
３０８    スタートボタン
３０９    試しコピーボタン
３１０    電源ボタン
【先行技術文献】
【特許文献】
【００６２】
【特許文献１】特開２００４−２２２２３４号公報
【図１】
2013021663.tif 000003
【図２】
2013021663.tif 000004
【図３】
2013021663.tif 000005
【図４】
2013021663.tif 000006
【図５】
2013021663.tif 000007
【図６】
2013021663.tif 000008
【図７】
2013021663.tif 000009
【図８】
2013021663.tif 000010
【図９】
2013021663.tif 000011